(57)【要約】【課題】高い耐久性を維持しつつ、遊技者以外の遊技機周辺にいる人に対しても、発光素子の光を視認させることができ、周囲への視認性を向上させることができる遊技機装飾用発光素子の回路基板を提供する。【解決手段】パチンコ機に設けられ、かつ複数の発光素子２０を板面上に配設した遊技機装飾用発光素子の回路基板１０において、可塑性を有するとともに、回路基板本体１１の辺１１ａ，１１ｂのうち互いに対向する一対の対辺１１ａを曲げることにより、回路基板本体１１の板面を複数の発光素子２０の光が放射状に出射される曲面に形成した。【選択図】図１
2004290295.tif 000002
【特許請求の範囲】
【請求項１】
遊技機に設けられ、かつ複数の発光素子を板面上に配設した遊技機装飾用発光素子の回路基板において、
可塑性を有するとともに、回路基板本体の辺のうち互いに対向する一対の対辺を曲げることにより、前記回路基板本体の板面を、前記複数の発光素子の光が放射状に出射される曲面に形成したことを特徴とする遊技機装飾用発光素子の回路基板。
【請求項２】
前記曲げた対辺の断面形状を弧にすることを特徴とする請求項１記載の遊技機装飾用発光素子の回路基板。
【請求項３】
前記曲げた対辺の断面形状を複数の直線が角で連なるようにしたことを特徴とする請求項１記載の遊技機装飾用発光素子の回路基板。
【請求項４】
前記曲げた対辺の断面形状を弧と直線が組み合わさるようにしたことを特徴とする請求項１記載の遊技機装飾用発光素子の回路基板。
【請求項５】
前記回路基板本体の辺のうち曲げていない方の一対の対辺を、保持部材によって保持したことを特徴とする請求項１，２，３または４記載の遊技機装飾用発光素子の回路基板。
【請求項６】
前記保持部材に端子を設けるとともに、該端子を介して通電される接合部を設け、
前記回路基板本体の回路パターンに前記発光素子を電気的に接続するとともに、該回路パターンに通電する接合部を設け、該接合部と前記保持部材の接合部とを電気的に接合して、前記端子から前記発光素子に給電するようにしたことを特徴とする請求項５記載の遊技機装飾用発光素子の回路基板。
【請求項７】
前記保持部材は、前記回路基板本体を保持した状態で遊技機側に取り付けるための取付部を有することを特徴とする請求項５または６記載の遊技機装飾用発光素子の回路基板。
【請求項８】
前記保持部材は、前記回路基板本体の辺のうち曲げていない方の一対の対辺を係合させるための被係合部を有することを特徴とする請求項５，６または７記載の遊技機装飾用発光素子の回路基板。
【請求項９】
前記回路基板本体の材質が合成樹脂であることを特徴とする請求項１，２，３，４，５，６，７または８記載の遊技機装飾用発光素子の回路基板。
【請求項１０】
前記発光素子は、発光色を変化させることが可能なＬＥＤであることを特徴とする請求項１，２，３，４，５，６，７，８または９記載の遊技機装飾用発光素子の回路基板。
【発明の詳細な説明】
【０００１】
【発明の属する技術分野】
本発明は、遊技機に設けられ、かつ複数の発光素子を板面上に配設した遊技機装飾用発光素子の回路基板に関するものであり、特に耐久性を維持しつつ、遊技者以外の遊技機周辺にいる人に対して発光素子の光を視認させることができる遊技機装飾用発光素子の回路基板に関する。
【０００２】
【従来の技術】
遊技機を代表するパチンコ機では、図９に示すように、遊技盤上にほぼ左右対称に配設された遊技盤装飾部１〜８や、図９，図１０に示すように、パチンコ機の外枠に設けられた枠装飾部９等の透過カバーに対して、これらの内側よりランプや発光ダイオード（ＬＥＤ）等の発光素子の光を照射することによって、照明、点灯、表示等による演出や、遊技者に対する報知等を行っている。
【０００３】
従来、こうした発光素子を複数配設し、かつパチンコ機に設けられた回路基板は、一般には平らに形成されているため、図１１に示すように、各発光素子で発生した光は直進し、パチンコ機正面側の遊技者のみに向かって出射されていた。こうしたことは、発光素子の中でも出射光の指向角が比較的狭いＬＥＤにおいて特に顕著である。
【０００４】
このため、遊技者以外のパチンコ機周辺にいる人、例えば遊技者の隣で遊技をしている人や、遊技者の背後を通行する人には、発光素子の光を視認させることが困難となり、こうした人達に対しては、パチンコ機の演出や報知に興味や関心を抱かせることができなかった。
【０００５】
そこで、特許文献１，２に開示されているように、発光素子が配設されている回路基板に可撓性をもたせ、回路基板を撓めるようにして曲げるという技術も既に提案されている。
【０００６】
【特許文献１】
特開２００１−２５９１２５号公報
【特許文献２】
特開２００２−１９８６１８号公報
【０００７】
【発明が解決しようとする課題】
しかしながら、前述したような特許文献１，２に記載された技術では、可撓性を有するゴムのような材質の回路基板を復元力に反して長期間曲げ続けるので、回路基板に亀裂や破損が生じる等、回路基板の耐久性が失われやすいという問題があった。
【０００８】
本発明は、以上のような従来技術が有する問題点に着目してなされたもので、高い耐久性を維持しつつ、遊技者以外の遊技機周辺にいる人に対しても、発光素子の光を視認させることができ、周囲への視認性を向上させることができる遊技機装飾用発光素子の回路基板を提供することを目的としている。
【０００９】
【課題を解決するための手段】
前述した目的を達成するための本発明の要旨とするところは、次の各項の発明に存する。
［１］遊技機に設けられ、かつ複数の発光素子（２０）を板面上に配設した遊技機装飾用発光素子の回路基板（１０，１０Ａ，１０Ｂ）において、
可塑性を有するとともに、回路基板本体（１１）の辺（１１ａ，１１ｂ）のうち互いに対向する一対の対辺（１１ａ）を曲げることにより、前記回路基板本体（１１）の板面を、前記複数の発光素子（２０）の光が放射状に出射される曲面に形成したことを特徴とする遊技機装飾用発光素子の回路基板（１０，１０Ａ，１０Ｂ）。
【００１０】
［２］前記曲げた対辺（１１ａ）の断面形状を弧にすることを特徴とする［１］記載の遊技機装飾用発光素子の回路基板（１０）。
【００１１】
［３］前記曲げた対辺（１１ａ）の断面形状を複数の直線が角で連なるようにしたことを特徴とする［１］記載の遊技機装飾用発光素子の回路基板（１０Ａ）。
【００１２】
［４］前記曲げた対辺（１１ａ）の断面形状を弧と直線が組み合わさるようにしたことを特徴とする［１］記載の遊技機装飾用発光素子の回路基板（１０Ｂ）。
【００１３】
［５］前記回路基板本体（１１）の辺（１１ａ，１１ｂ）のうち曲げていない方の一対の対辺（１１ｂ）を、保持部材（３０）によって保持したことを特徴とする［１］，［２］，［３］または［４］記載の遊技機装飾用発光素子の回路基板（１０，１０Ａ，１０Ｂ）。
【００１４】
［６］前記保持部材（３０）に端子（３４）を設けるとともに、該端子（３４）を介して通電される接合部（３５）を設け、
前記回路基板本体（１１）の回路パターン（１２）に前記発光素子（２０）を電気的に接続するとともに、該回路パターン（１２）に通電する接合部（１３）を設け、該接合部（１３）と前記保持部材（３０）の接合部（３５）とを電気的に接合して、前記端子（３４）から前記発光素子（２０）に給電するようにしたことを特徴とする［５］記載の遊技機装飾用発光素子の回路基板（１０，１０Ａ，１０Ｂ）。
【００１５】
［７］前記保持部材（３０）は、前記回路基板本体（１１）を保持した状態で遊技機側に取り付けるための取付部（３２）を有することを特徴とする［５］または［６］記載の遊技機装飾用発光素子の回路基板（１０，１０Ａ，１０Ｂ）。
【００１６】
［８］前記保持部材（３０）は、前記回路基板本体（１１）の辺（１１ａ，１１ｂ）のうち曲げていない方の一対の対辺（１１ｂ）を係合させるための被係合部（３１）を有することを特徴とする［５］，［６］または［７］記載の遊技機装飾用発光素子の回路基板（１０，１０Ａ，１０Ｂ）。
【００１７】
［９］前記回路基板本体（１１）の材質が合成樹脂であることを特徴とする［１］，［２］，［３］，［４］，［５］，［６］，［７］または［８］記載の遊技機装飾用発光素子の回路基板（１０，１０Ａ，１０Ｂ）。
【００１８】
［１０］前記発光素子（２０）は、発光色を変化させることが可能なＬＥＤであることを特徴とする［１］，［２］，［３］，［４］，［５］，［６］，［７］，［８］または［９］記載の遊技機装飾用発光素子の回路基板（１０，１０Ａ，１０Ｂ）。
【００１９】
前記本発明は次のように作用する。
前記［１］記載の遊技機装飾用発光素子の回路基板（１０，１０Ａ，１０Ｂ）によれば、回路基板本体（１１）に可塑性を持たせることにより、回路基板本体（１１）を予め曲げておけば、外力を取り去っても歪みが残り曲がったままの状態に維持される。それにより、従来の可撓性を有する回路基板のように復元力に反して曲げ続ける必要がなく、回路基板（１０，１０Ａ，１０Ｂ）に亀裂や破損が生じることがなくなり、回路基板（１０，１０Ａ，１０Ｂ）の耐久性を維持することができる。
【００２０】
さらに、回路基板本体（１１）の辺（１１ａ，１１ｂ）のうち互いに対向する一対の対辺（１１ａ）を曲げることにより、回路基板本体（１１）の板面を複数の発光素子（２０）の光が放射状に出射される曲面に形成する。それにより、各発光素子（２０）の光が一方向ではなく放射状に拡がるように周囲に出射されるから、遊技機正面の遊技者だけでなく遊技機周辺にいる人に対しても発光素子（２０）の光を視認させることができる。
【００２１】
ここで前記［２］記載のように、前記曲げた対辺（１１ａ）の断面形状を弧にすれば、複数の発光素子（２０）が並ぶ出射面がなだらかな円弧曲面となるから、全放射方向に対してほぼ均一な視認性を確保することができる。
【００２２】
ただし、前記曲げた対辺（１１ａ）の断面形状は弧に限られるものではなく、前記［３］記載のように、前記曲げた対辺（１１ａ）の断面形状を複数の直線が角で連なるような多角形状にしたり、あるいは前記［４］記載のように、前記曲げた対辺（１１ａ）の断面形状を弧と直線が組み合わさるような異形状にしても良い。
【００２３】
このように、ゴム等の可撓性素材のように撓めて湾曲させることしかできない従来の回路基板と異なり、本願発明に係る回路基板本体（１１）は様々な断面形状になるように曲げることができるので、遊技盤装飾部や枠装飾部の各種透過カバー内側等の配置スペースに自由に対応させて、各発光素子（２０）の光を放射状に出射させることができる。
【００２４】
また、前記［５］記載のように、前記回路基板本体（１１）の辺（１１ａ，１１ｂ）のうち曲げていない方の一対の対辺（１１ｂ）を、保持部材（３０）によって保持すれば、回路基板本体（１１）に外力が加わっても変形することなく、回路基板本体（１１）を確実かつ強固に保持することができる。
【００２５】
また、前記［６］記載のように、前記保持部材（３０）に端子（３４）を設けるとともに、該端子（３４）を介して通電される接合部（３５）を設け、前記回路基板本体（１１）の回路パターン（１２）に前記発光素子（２０）を電気的に接続するとともに、該回路パターン（１２）に通電する接合部（１３）を設け、該接合部（１３）と前記保持部材（３０）の接合部（３５）とを電気的に接合させれば、簡易な構成で回路基板本体（１１）の板面上の各発光素子（２０）に効率良く給電することができる。
【００２６】
また、前記［７］記載の場合、前記保持部材（３０）は、前記回路基板本体（１１）を保持した状態で遊技機側に取り付けるための取付部（３２）を有するので、回路基板本体（１１）を保持部材（３０）の取付部（３２）を介して、遊技盤装飾部や枠装飾部の筐体等を含めた遊技機側に確実かつ容易に取り付けることができる。
【００２７】
また、前記［８］記載の場合、前記保持部材（３０）は、前記回路基板本体（１１）の辺（１１ａ，１１ｂ）のうち曲げていない方の一対の対辺（１１ｂ）を係合させるための被係合部（３１）を有するので、前記回路基板本体（１１）の一対の対辺（１１ｂ）を前記保持部材（３０）に対して確実かつ容易に取り付けることができる。
【００２８】
また、前記［９］記載のように、前記回路基板本体（１１）の材質が合成樹脂であれば、回路基板本体（１１）に可塑性も多少は持たせることで、ある程度は撓めることが可能となり、寸法誤差等を吸収することができ細かな精度出しが不要となる。
【００２９】
さらにまた、前記［１０］記載のように、前記発光素子（２０）を、発光色を変化させることが可能なＬＥＤとすれば、１つの発光素子（２０）により色々な発光色を照射できるので、色々な単色光の発光素子（２０）を多数組み合わせるような場合と比較して発光素子（２０）の個数を減らすことができ、発光素子（２０）を設置するためのスペースを小さくすることができる。
【００３０】
【発明の実施の形態】
以下、図面に基づき本発明を代表する各種実施の形態を説明する。
図１および図２は、本発明の第１実施の形態を示している。
本実施の形態に係る遊技機装飾用発光素子の回路基板１０は、遊技機に設けられるものであり、回路基板本体１１の板面上に複数の発光素子２０を配設して成る。
【００３１】
ここで遊技機とは、例えば、ハンドルの回転操作により遊技盤の遊技領域上にパチンコ球を打ち出し、かかる打球の入賞を競い楽しむパチンコ機等が該当する。回路基板１０は、パチンコ機においては従来の技術で説明したように、図９に示す遊技盤上に配設された遊技盤装飾部１〜８や、図１０に示す外枠に設けられた枠装飾部９の構成要素として用いられる。
【００３２】
図１に示すように、遊技機装飾用発光素子の回路基板１０は、可塑性を有するとともに、回路基板本体１１の辺１１ａ，１１ｂのうち互いに対向する一対の対辺１１ａを曲げることにより、前記回路基板本体１１の板面を複数の発光素子２０の光が放射状に出射される曲面に形成して成る。本実施の形態では、曲げた対辺１１ａの断面形状が弧になっている。
【００３３】
回路基板本体１１は、可塑性すなわち塑性変形しやすい性質の材質を用いて、当初は平板状に成形したものに後から外力を加えて、所定形状に曲げたものであり、具体的な材質としては、可塑性に優れ非導電性の合成樹脂が適しており、特にエポキシ樹脂、ポリカーボネイト樹脂、あるいはメタクリル樹脂等が最適である。
【００３４】
回路基板本体１１は、当初は設計上必要な大きさの矩形平板に形成され、この板面上に複数の発光素子２０を一定間隔で縦横に並ぶマトリクス状に配設し、さらに、各々の辺１１ａ，１１ｂのうち互いに対向する一対の対辺１１ａを弧形に曲げることにより、図２に示すように、前記板面を複数の発光素子２０の光が放射状に出射される曲面に形成されている。なお、発光素子２０の配置間隔は、特に一定でなくても良く、必要に応じて設定すれば良い。
【００３５】
図１，図２に示すように、回路基板本体１１はその可塑性により、曲げたときの外力を取り去った後でも、一対の対辺１１ａの断面形状が弧の形のままに維持される。なお、詳しくは後述するが、回路基板本体１１のもう片側である裏面には、複数の発光素子２０を接続する回路パターン１２（図８参照）等が設けられている。
【００３６】
発光素子２０は、略砲弾形レンズに成形されたモールド樹脂中に素子を埋設したＬＥＤである。このようなＬＥＤは、一色にしか発色しない単色のものが一般的であるが、入力電圧を変えることにより、例えば、赤・緑・青等と発光色を変化させることが可能ないわゆるフルカラーＬＥＤを用いても良い。
【００３７】
また、ＬＥＤ自体の種類としても、素子がモールド樹脂中に埋設されずに剥き出しのいわゆるチップＬＥＤを用いても良く、更には発光素子として、ＬＥＤではなく豆電球等のランプを用いることも可能である。何れのＬＥＤ等を採用するにせよ、発光素子２０から延びるリード端子は、前記回路基板本体１１を貫通してその裏面に設けられている回路パターン１２（図８参照）に接続される。
【００３８】
次に第１実施の形態の作用を説明する。
遊技機装飾用発光素子の回路基板１０によれば、回路基板本体１１に可塑性を持たせることにより、図１，図２に示す形状に回路基板本体１１を予め曲げておけば、外力を取り去っても歪みが残り曲がったままの状態に維持される。なお、回路基板１０を製造する際には、回路基板本体１１の板面上に複数の発光素子２０を配設してから回路基板本体１１を曲げても良いし、回路基板本体１１を曲げてからその板面上に複数の発光素子２０を配設しても良い。
【００３９】
回路基板本体１１は、いったん曲げた後はそのまま曲げられた状態に維持されるので、従来の可撓性を有する回路基板のように、復元力に反して曲げ続ける必要がない。従って、経年劣化により回路基板１０に亀裂や破損が生じることがなくなり、回路基板１０の耐久性を維持することができる。
【００４０】
本実施の形態では、回路基板本体１１の辺１１ａ，１１ｂのうち互いに対向する一対の対辺１１ａを互いに左右対称に弧状に曲げることにより、回路基板本体１１の板面が複数の発光素子２０の光を放射状に出射する曲面となる。従って、各発光素子２０である発光ダイオードの比較的指向角の狭い高輝度光は、一方向ではなく放射状に広く拡がるように周囲に出射される。
【００４１】
それにより、パチンコ機正面の遊技者だけでなく、パチンコ機周辺にいる人に対しても、発光素子２０の光を十分に視認させることができ、こうした人達に対しても、パチンコ機の演出や報知に興味や関心を抱かせることが可能となる。特に本実施の形態では、図２に示すように、回路基板本体１１の曲げた対辺１１ａの断面形状を弧としたことにより、複数の発光素子２０が並ぶ出射面がなだらかな円弧曲面となるから、発光素子２０のように比較的指向角の狭い光を発生する発光ダイオードを用いた場合でも、全放射方向に対してほぼ均一な視認性を確保することができる。
【００４２】
また、発光素子２０として発光ダイオードを採用したことにより、豆電球等と比べて長寿命となり、視認性や輝度も極めて高く、熱的・放電的発光でないため点灯消灯時間も早くなり、光電変換効率が高いため消費電力も少なく、耐衝撃性にも優れる等の特性を備えるものとなる。
【００４３】
また、発光素子２０を、発光色を変化させることが可能ないわゆるフルカラーＬＥＤとすれば、１つの発光素子２０により色々な発光色を照射できるので、色々な単色光の発光素子２０を多数組み合わせるような場合と比較して発光素子２０の個数を減らすことができ、発光素子２０を設置するためのスペースを小さくすることが可能となる。
【００４４】
さらにまた、前記回路基板本体１１の材質を合成樹脂とすることで、回路基板本体１１に可塑性も多少は持たせることができ、回路基板本体１１をある程度は撓めることが可能となり、寸法誤差等を吸収することが可能となり、細かな精度出しが不要となって、いっそうのコスト低減も実現できることになる。
【００４５】
図３，図４は、本発明の第２実施の形態を示している。
本実施の形態に係る遊技機装飾用発光素子の回路基板１０Ａは、回路基板本体１１の一対の対辺１１ａを、図示したように、複数の直線が角で連なる断面形状に曲げたものである。この例では、７つの直線が６つの角で連なる断面形状に曲げられているが、かかる断面形状に限定されるものではない。
【００４６】
図５，図６は、本発明の第３実施の形態を示している。
本実施の形態に係る遊技機装飾用発光素子の回路基板１０Ｂは、回路基板本体１１の一対の対辺１１ａを、図示したように、弧と直線が組み合わされた断面形状に曲げたものである。この例では、２つの弧の間に１つの直線が連なる断面形状に曲げられているが、かかる断面形状に限定されるものでもない。
【００４７】
これら図３〜図６に示すように、前記曲げた対辺１１ａの断面形状を複数の直線が角で連なるような多角形状としたり、あるいは、前記曲げた対辺１１ａの断面形状を弧と直線が組み合わさるような異形状としても良い。このように、ゴム等の可撓性素材のように撓めて湾曲させることしかできない従来の回路基板と異なり、本願発明に係る回路基板本体１１は、様々な断面形状に曲げることができるので、遊技盤装飾部や枠装飾部の各種透過カバー内側等の配置スペースに自由に対応させて、各発光素子２０の光を放射状に出射させることができる。
【００４８】
図７，図８は、本発明の第４実施の形態を示している。
本実施の形態は、図７に示すように、前記第１実施の形態に係る回路基板１０に保持部材３０を組み合わせて、回路基板本体１１の辺１１ａ，１１ｂのうち曲げていない方の一対の対辺１１ｂを保持部材３０によって保持したものである。ただし、保持部材３０は、前記第１実施の形態に係る回路基板１０だけに組み合わされるものではなく、前記第２，第３実施の形態に係る回路基板１０Ａ，１０Ｂに組み合わせることもできる。
【００４９】
図７に示すように、保持部材３０は、前記回路基板本体１１の曲げられていない一対の対辺１１ｂ側に細幅状のリテーナー様に成形されている。本実施の形態では、一対の対辺１１ｂにそれぞれ対応する保持部材３０は互いに分離されており、それぞれ別々に遊技盤装飾部や枠装飾部の筐体表面Ｐに取り付けられるが、各保持部材３０を薄底板やバーないし枠構造により一体に連結するように成形してもかまわない。
【００５０】
保持部材３０には、前記回路基板本体１１を保持した状態で遊技機側である前記筐体表面Ｐに取り付けるための取付部３２が設けられている。取付部３２は、保持部材３０の前後位置にてそれぞれ側方に突片状に延出しており、取付部３２の略中央には、取付用のビスまたは釘を通すネジ孔３２ａが穿設されている。
【００５１】
また、保持部材３０の中央位置にコネクタ３３が、前記取付部３２と同じく側方に突設されており、該コネクタ３３の内部には、給電用の端子３４が設けられている。図８に示すように、保持部材３０には、その全長に亘り長手方向に延びる凹溝が形成されている。かかる凹溝は、前記回路基板本体１１の一対の対辺１１ｂの端縁を係合させるための被係合部３１を成す部位である。また、端子３４は前記被係合部３１である凹溝内側まで貫通しており、凹溝内側には、端子３４を介して通電される保持部材側接合部３５が設けられている。
【００５２】
一方、前記被係合部３１に嵌合する前記回路基板本体１１の対辺１１ｂの端縁において、前記保持部材側接合部３５と丁度合致する位置には、回路パターン１２に通電するための回路側接合部１３が設けられている。かかる回路側接合部１３は、前記保持部材３０の保持部材側接合部３５と電気的に接合することで、前記端子３４から前記発光素子２０に給電させるように設定されている。
【００５３】
本実施の形態のように、回路基板本体１１の辺１１ａ，１１ｂのうち曲げていない方の一対の対辺１１ｂを保持部材３０によって保持することで、回路基板本体１１に外力が加わっても変形することなく、回路基板本体１１を確実かつ強固に保持することができる。ここで保持部材３０は、その被係合部３１を成す凹溝に、前記回路基板本体１１の対辺１１ｂの端縁を嵌め込むだけで良く、確実かつ容易に取り付けることができる。
【００５４】
しかも、この取り付けに伴って、回路基板本体１１の回路側接合部１３と保持部材３０の保持部材側接合部３５とが必然的に対接し、電気的に接合されるので、簡易な構成で回路基板本体１１の板面上の各発光素子２０に効率良く給電することができる。また、保持部材３０は、前記回路基板本体１１を保持した状態で取付部３２を介して、そのネジ孔３２ａに通したビスや釘等により、遊技盤装飾部や枠装飾部の筐体表面Ｐ等を含めた遊技機側に確実かつ容易に取り付けることができる。
【００５５】
以上、本発明の実施の形態を図面によって説明してきたが、具体的な構成は前述した実施の形態に限られるものではなく、本発明の要旨を逸脱しない範囲における変更や追加があっても本発明に含まれる。もちろん、遊技機はパチンコ機に限られるものではなく、回路基板１０を利用する電飾装置を備える様々な遊技機に適用することができる。また、前記回路基板本体１１の板面上における複数の発光素子２０の具体的な配置パターンは、図示したものに限られるわけではない。
【００５６】
【発明の効果】
本発明に係る遊技機装飾用発光素子の回路基板によれば、回路基板本体に可塑性を持たせることにより、回路基板本体を予め曲げておけば、外力を取り去っても歪みが残り曲がったままの状態に維持されるから、従来の可撓性を有する回路基板のように復元力に反して曲げ続ける必要がなく、回路基板に亀裂や破損が生じることがなくなり、回路基板の耐久性を維持することができる。
【００５７】
しかも、回路基板本体の辺のうち互いに対向する一対の対辺を曲げることにより、回路基板本体の板面を複数の発光素子の光が放射状に出射される曲面に形成したことによって、各発光素子の光が一方向ではなく放射状に拡がるように周囲に出射されるから、遊技機正面の遊技者だけでなく遊技機周辺にいる人に対しても発光素子の光を視認させることができる。
【図面の簡単な説明】
【図１】本発明の第１実施の形態に係る遊技機装飾用発光素子の回路基板を示す斜視図である。
【図２】本発明の第１実施の形態に係る遊技機装飾用発光素子の回路基板を示す側面図である。
【図３】本発明の第２実施の形態に係る遊技機装飾用発光素子の回路基板を示す斜視図である。
【図４】本発明の第２実施の形態に係る遊技機装飾用発光素子の回路基板を示す側面図である。
【図５】本発明の第３実施の形態に係る遊技機装飾用発光素子の回路基板を示す斜視図である。
【図６】本発明の第３実施の形態に係る遊技機装飾用発光素子の回路基板を示す側面図である。
【図７】本発明の第４実施の形態に係る遊技機装飾用発光素子の回路基板を示す斜視図である。
【図８】本発明の第４実施の形態に係る遊技機装飾用発光素子の回路基板を示す分解斜視図である。
【図９】遊技機であるパチンコ機を示す正面図である。
【図１０】遊技機であるパチンコ機を示す斜視図である。
【図１１】従来の遊技機装飾用発光素子の回路基板を示す斜視図である。
【符号の説明】
１０…回路基板
１０Ａ…回路基板
１０Ｂ…回路基板
１１…回路基板本体
１２…回路パターン
１３…回路側接合部
２０…発光素子
３０…保持部材
３１…被係合部
３２…取付部
３２ａ…ネジ孔
３３…コネクタ
３４…端子
３５…保持部材側接合部
【図１】
2004290295.tif 000003
【図２】
2004290295.tif 000004
【図３】
2004290295.tif 000005
【図４】
2004290295.tif 000006
【図５】
2004290295.tif 000007
【図６】
2004290295.tif 000008
【図７】
2004290295.tif 000009
【図８】
2004290295.tif 000010
【図９】
2004290295.tif 000011
【図１０】
2004290295.tif 000012
【図１１】
2004290295.tif 000013